(57)【要約】【課題】部品点数の増加を抑えつつ、操作パネルに加わる進行方向への力を減衰させること可能なコンロを提供する。 【解決手段】ガスコンロ１は、筐体２と、フロント部材２０と、操作パネル６０と、付勢部８０と、ダンパ装置８２とを有する。付勢部８０は、操作パネル６０に対して前方側への移動力を継続的に付与する。ダンパ装置８２は、操作パネル６０に固定される。フロント部材２０は、一対のガイド壁３８，３８と、ダンパ装置８２のピニオン部８４と噛み合うラック部４０とを備える。ラック部４０は、一対のガイド壁３８，３８と一体成形される。【選択図】図６
2020085411.tif 000002
【特許請求の範囲】
【請求項１】
ガスバーナを収容する筐体と、
上部構成体と、前記上部構成体の下側に配置されるとともに前記上部構成体と共に前方側に開口した孔部を構成する下部構成体と、を備え、前記筐体の前部に固定されるフロント部材と、
前記フロント部材によってガイドされる被ガイド部を備えるとともに、前記孔部内に配置され、前記フロント部材の前側に突出した前方位置と前記前方位置のときよりも後方側に退避した退避位置とに変位する操作パネルと、
少なくとも前記退避位置にある前記操作パネルに対して前方側への移動力を継続的に付与する付勢部と、
ピニオン部と、前記ピニオン部の回転エネルギーを減衰させる減衰部と、を備え、前記操作パネルに固定されるダンパ装置と、
を有し、
前記フロント部材は、
前記被ガイド部に対向して配置されるとともに前後方向に沿って延び、前記被ガイド部の移動の際に当該被ガイド部を案内するガイド壁と、
前記ガイド壁と一体成形されるとともに前記ガイド壁と対向して配置され且つ前後方向に沿って延び、前記ピニオン部と噛み合うラック部と、
を備えるコンロ。
【請求項２】
前記ピニオン部は、前記ガイド壁と前記ラック部との間の第１空間に配置され、
前記ラック部は、前記付勢部が収容された第２空間と前記第１空間とを仕切る構成で配置されている
請求項１に記載のコンロ。
【請求項３】
前記操作パネルの左右方向の一方側に前記付勢部が配置されるとともに、他方側に前記ピニオン部が配置され、
前記ラック部が、前記ピニオン部に対して前記付勢部側に配置される請求項１又は２に記載のコンロ。
【請求項４】
点火操作を行うための点火操作部と、
火力の調整操作を行うための火力調整操作部と、
を備え、
前記上部構成体は、
貫通した開口形状をなし、自身の内部に前記点火操作部が嵌り込むように配置される第１開口部と、
前記火力調整操作部が挿し通されるとともに、自身の内部領域が前記火力調整操作部の移動経路として構成され、前記第１開口部と一体成形される第２開口部と、
を有する請求項１から請求項３のいずれか一項に記載のコンロ。
【請求項５】
前記下部構成体は、前記被ガイド部の下方側において前記被ガイド部と対向して配置される底部を有し、
前記底部から立ち上がる構成で、前記ガイド壁及び前記ラック部が形成されており、
前記底部には、当該底部の上面に入り込んだ異物を下方に逃がす逃がし孔が形成されている
請求項１から請求項４のいずれか一項に記載のコンロ。
【発明の詳細な説明】
【技術分野】
【０００１】
本発明は、コンロに関するものである。
【背景技術】
【０００２】
特許文献１には、コンロ本体２と、このコンロ本体２の前面に設けられた装置ユニット２０とを備えたコンロ（ビルトインコンロ１）が開示されている。このコンロの装置ユニット２０は、前後方向に出退する操作パネル４５を備えている。この操作パネル４５の左右両側には、前後方向に延びるガイドリブが設けられており、操作パネル４５の左方及び右方には、各ガイドリブを前後方向にガイドするためのガイド溝が形成されたガイド部材４１，４２が設けられている。これにより、操作パネル４５はガイド溝に沿って前後方向にガイドされるようになっている。
【０００３】
更に、操作パネル４５の後部には、操作パネル４５を一定速度で前方に押し出すための定荷重バネ装置１００が設けられている。このため、操作パネル４５は、定荷重バネ装置１００のバネ１０２の弾性復帰力によって、一定速度で前方に押し出されるようになっている。
【先行技術文献】
【特許文献】
【０００４】
【特許文献１】特開２０１１−５２８４０号公報
【発明の概要】
【発明が解決しようとする課題】
【０００５】
上述した特許文献１のコンロでは、操作パネル４５の進行速度を適度に抑えることが望まれている。そこで、操作パネル４５に加わる進行方向への力を減衰させる減衰機構を設けることが考えられる。しかし、単に減衰機構を追加するだけでは、部品点数が増加するという問題がある。
【０００６】
本発明は上述した課題の少なくとも一つを解決するためになされたものであり、部品点数の増加を抑えつつ、操作パネルに加わる進行方向への力を減衰させること可能なコンロを提供することを目的とする。
【課題を解決するための手段】
【０００７】
本発明の一態様のコンロは、
ガスバーナを収容する筐体と、
上部構成体と、前記上部構成体の下側に配置されるとともに前記上部構成体と共に前方側に開口した孔部を構成する下部構成体と、を備え、前記筐体の前部に固定されるフロント部材と、
前記フロント部材によってガイドされる被ガイド部を備えるとともに、前記孔部内に配置され、前記フロント部材の前側に突出した前方位置と前記前方位置のときよりも後方側に退避した退避位置とに変位する操作パネルと、
少なくとも前記退避位置にある前記操作パネルに対して前方側への移動力を継続的に付与する付勢部と、
ピニオン部と、前記ピニオン部の回転エネルギーを減衰させる減衰部と、を備え、前記操作パネルに固定されるダンパ装置と、
を有し、
前記フロント部材は、
前記被ガイド部に対向して配置されるとともに前後方向に沿って延び、前記被ガイド部の移動の際に当該被ガイド部を案内するガイド壁と、
前記ガイド壁と一体成形されるとともに前記ガイド壁と対向して配置され且つ前後方向に沿って延び、前記ピニオン部と噛み合うラック部と、
を備える。
【発明の効果】
【０００８】
上記一態様のコンロによれば、付勢部から付与される移動力によって操作パネルが前方側へ移動する際に、フロント部材のガイド壁によって操作パネルを案内することができる。また、このコンロでは、操作パネルに加わる前後方向への力が、ラック部及びピニオン部を介して減衰部に伝達されるので、操作パネルに加わる進行方向への力を減衰させることができる。更に、このコンロでは、減衰機構の一部を構成するラック部がガイド壁と一体成形されるので、ラック部をガイド壁と別体で構成する場合と比較して、部品点数の増加を抑えることができる。即ち、このコンロによれば、部品点数の増加を抑えつつ、操作パネルに加わる進行方向への力を減衰させることができる。
しかも、このコンロによれば、ラック部とガイド壁とを一体成形することにより、ラック部とガイド壁とを所望の位置関係に、より高精度で配置することができる。
【図面の簡単な説明】
【０００９】
【図１】図１は、実施例１のガスコンロを概略的に示す正面図である。
【図２】図２は、実施例１のガスコンロを概略的に示す分解斜視図である。
【図３】図３は、フロント部材と操作パネルとが組み付けられたものを前方から見た斜視図である。
【図４】図４は、上部構成体を概略的に示す正面図である。
【図５】図５は、上部構成体を概略的に示す右側面図である。
【図６】図６は、下部構成体を後方から見た斜視図である。
【図７】図７は、下部構成体を後方から見た平面図である。
【図８】図８は、下部構成体を概略的に示す背面図である。
【図９】図９は、操作パネルを後方から見た斜視図である。
【図１０】図１０は、操作パネルを後方から見た平面図である。
【図１１】図１１は、操作パネルを後方から見た底面図である。
【図１２】図１２は、下部構成体に操作パネルを組み付けたものを後方から見た平面図である。
【図１３】図１３は、下部構成体に操作パネルを組み付けたものを概略的に示す背面図である。
【図１４】図１４は、下部構成体に操作パネルを組み付けたものを、図１２のＡ−Ａ位置で切断した左側部分の斜視図である。
【図１５】図１５は、操作パネルが下部構成体に係合された状態を示す平面図である。
【図１６】図１６は、操作パネルが下部構成体との係合が解除されて前方に移動している様子を示す平面図である。
【図１７】（Ａ）は、操作パネルが退避位置にあるときの操作パネル及び下部構成体を示す平面図であり、（Ｂ）は、退避位置での保持が解除された直後の操作パネル及び下部構成体を示す平面図であり、（Ｃ）は、操作パネルが前方位置にあるときの操作パネル及び下部構成体を示す平面図である。
【発明を実施するための形態】
【００１０】
ここで、本発明の望ましい一例を示す。
ピニオン部は、ガイド壁とラック部との間の第１空間に配置されていてもよい。ラック部は、付勢部が収容された第２空間と第１空間とを仕切る構成で配置されていてもよい。この構成によれば、ラック部がピニオン部と付勢部との間に介在するので、仮に作動する付勢部によって異物等が弾かれたとしても、その異物等がピニオン部に噛み込むことを抑制し得る。
【００１１】
操作パネルの左右方向の一方側に付勢部が配置されるとともに、他方側にピニオン部が配置されるようにしてもよい。ラック部は、ピニオン部に対して付勢部側に配置されるようにしてもよい。ラック部は、ピニオン部に対して付勢部側に配置されるようにしてもよい。このように、左右方向一方側に付勢部が配置されていると、付勢部の付勢によって操作パネルが前方側に移動するときに、左右方向一方側（左右方向において付勢部が配置される側）がより強く引っ張られることになる。このような引っ張り動作が生じると、操作パネルでは、左右方向一方側が他方側よりも早く前側に移動しようとする回転力（即ち、左右方向他方側が左右方向一方側よりも遅れるような回転力）が生じやすくなり、この回転力に応じてピニオン部は左右方向一方側（即ち、付勢部側）に向かおうとする。つまり、付勢部の付勢によって操作パネルが前方側に移動するときには、ピニオン部がラック部に押し付けられるように作用しながら移動しやすくなるため、ラック部との噛み合いが外れにくい状態で操作パネルを前方側に移動させることができる。
【００１２】
上記コンロは、点火操作を行うための点火操作部と、火力の調整操作を行うための火力調整操作部とを備えていてもよい。上部構成体は、貫通した開口形状をなし、自身の内部に点火操作部が嵌り込むように配置される第１開口部と、火力調整操作部が挿し通されるとともに、自身の内部領域が前記火力調整操作部の移動経路として構成され、第１開口部と一体成形される第２開口部と、を有するようにしてもよい。この構成によれば、火力調整操作部が挿し通される第２開口部が点火操作部の配置される第１開口部と一体成形されるので、第２開口部を第１開口部と別体で構成する場合と比較して、部品点数の増加を抑えることができる。
【００１３】
下部構成体は、被ガイド部の下方側において被ガイド部と対向して配置される底部を有するようにしてもよい。ガイド壁及びラック部は、底部から立ち上がる構成としてもよい。底部には、この底部の上面に入り込んだ異物を下方に逃がす逃がし孔が形成されていてもよい。この構成によれば、底部の上面に入り込んだ異物を逃がし孔から逃がすことができるので、底部の上面に異物が滞留することによる下部構成体の機能（例えば、操作パネルを案内する機能、操作パネルに加わる進行方向への力を減衰する機能など）の低下を抑制することができる。
【００１４】
＜実施例１＞
以下、実施例１について、図面を参照して説明する。
図１、図２のように、ガスコンロ１（コンロ）は、ガスバーナ４，５，６、ガスバーナ４，５，６を収容するコンロ本体部１Ａなどを有しており、図示しないキャビネットに組み込まれるビルトインコンロとして構成されている。
【００１５】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２において、左斜め下方、右斜め上方、右斜め下方、左斜め上方を、それぞれ、ガスコンロ１の前方、後方、右方、左方とする。
【００１６】
図２のように、ガスコンロ１はコンロ本体部１Ａによって外殻（ケース体）が構成されており、このコンロ本体部１Ａの内部にガスバーナ４，５，６などの各種部品が収容された構成をなす。コンロ本体部１Ａは、ガスバーナ４，５，６を収容する筐体２と、筐体２の上端部に固定される天板３と、筐体２の前部に固定されるフロント部材２０と、フロント部材２０の前側に装着される化粧パネル９０と、操作パネル６０と、操作パネル６０の前側に装着される化粧パネル９２と、を備える。
【００１７】
筐体２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体２の前面部（図示略）はフレーム状又は壁状に構成されており、これら前面部、側壁部、後壁部によって筐体２の内部空間の前後左右を囲む構成をなし、これら前面部、側壁部、後壁部の下部には底壁部（図示略）が連結されている。筐体２は、これらの壁部によって上部が開口した箱状形態をなしており、筐体２の上端部には、天板３が取り付けられている。
【００１８】
図１、図２のように、天板３は、板状に構成されると共にガスバーナ４，５，６を露出させるための開口部（貫通孔）が複数個形成された構成をなす。天板３は、カウンタトップ（図示略）の上側に配置される。
【００１９】
図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。
【００２０】
筐体２の中央付近には、グリル部８が設けられている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。受け皿はグリル庫の底面部に載置されており、グリル扉８Ｂを前方側に引き出すように操作することで、グリル扉８Ｂとともに受け皿及び焼き網が一体的に引き出されるようになっている。なお、グリル庫にレールユニットを設けて、グリル扉８Ｂや受け皿などをレールユニットによって前後方向に案内する構成となっていてもよい。なお、天板３において後端寄りの位置には、グリル庫と連通するグリル排気口９が設けられている。
【００２１】
図１のように、筐体２の前面の右寄りには２つの点火ボタン１１，１４（点火操作部）が、左寄りにはもう２つの点火ボタン１２，１３が設けられている。点火ボタン１１は、ガスバーナ４の点火操作及び消火操作を行うための操作ボタンであり、点火ボタン１２は、ガスバーナ５の点火操作及び消火操作を行うための操作ボタンであり、点火ボタン１３は、ガスバーナ６の点火操作及び消火操作を行うための操作ボタンである。点火ボタン１４は、グリル部８のガスバーナの点火操作及び消火操作を行うための操作ボタンである。各点火ボタン１１，１２，１３，１４は、フロント部材２０の前面よりも前方へ突出して設けられ、筐体２の内部に設けられた図示しない制御回路と接続されており、使用者が押し込み操作すると、制御回路による制御により、その操作されたボタンに対応するガスバーナの点火又は消火が行われるようになっている。
【００２２】
図１のように、筐体２の前面の右寄りには２つのレバー１６Ａ，１６Ｄ（火力調整操作部）が、左寄りにはもう２つのレバー１６Ｂ，１６Ｃが設けられている。レバー１６Ａ，１６Ｂ，１６Ｃ，１６Ｄはそれぞれ、対応するガスバーナ４，５，６又はグリル部８のグリルバーナにおける火力の調整操作を行うための火力調整レバーである。点火ボタン１２，１３の下側には、ガスコンロ１に電力を供給するための電池を収容する電池ボックス１８が設けられている。
【００２３】
フロント部材２０は、例えば、金属材料又は樹脂材料を主体として構成されている。上述した筐体２には、前方に開口した収容凹部２Ａが形成されている。フロント部材２０は、グリル部８の側方（本実施例では右方）において、この収容凹部２Ａの内部を前方から覆うように配置され、筐体２の前部に固定される。
【００２４】
図３には、フロント部材２０に操作パネル６０を組付けた組付状態の様子が示されている。フロント部材２０は、上部構成体２２と下部構成体２４とを有する。上部構成体２２及び下部構成体２４の各々は、全体が一体成形されている。
【００２５】
上部構成体２２は、図３〜５のように、正面視において略矩形状をなしており、収容凹部２Ａの内部を前方から覆うように収容凹部２Ａの開口部分に配置される。上部構成体２２は、前面側に第１開口部３２，３３と、第２開口部３４，３５と、を有する。第１開口部３２，３３は、前後方向に貫通した開口形状をなしており、自身の内部に上述した点火ボタン１１，１４が嵌り込むように配置される。
【００２６】
第２開口部３４，３５はそれぞれ、第１開口部３２，３３の上方に配置され、正面視において所定方向（本実施例では左右方向）に長い形態をなしている。上述したレバー１６Ａ，１６Ｄは、収容凹部２Ａの内部から前方に向かって突出した形態をなしている。第２開口部３４，３５は、これらのレバー１６Ａ，１６Ｄが後方から挿し通されるとともに、自身の内部領域がレバー１６Ａ，１６Ｄの移動経路として構成されている。即ち、レバー１６Ａ，１６Ｄは、第２開口部３４，３５を介して前方に突出した状態で配置され、突出した部分が操作されることで第２開口部３４，３５を左右方向に移動し得るようになっている。レバー１６Ａ，１６Ｄが左右方向に操作されることで、対応するガスバーナ４又はグリル部８のグリルバーナにおける火力が調整される。
【００２７】
これらの第１開口部３２，３３と第２開口部３４，３５とは一体成形されている。また、化粧パネル９０は、第１開口部３２，３３及び第２開口部３４，３５を塞がないように、第１開口部３２，３３及び第２開口部３４，３５に対応する部分が前後方向に貫通した開口形状をなしている。
【００２８】
上部構成体２２は、収容凹部２Ａの内部を前方から覆う前面部２６と、前面部２６の下側部分の左右両端部から後方に延びる一対の側面部２８，２８とを有する。各側面部２８の下側部分には、少なくとも１つ（本実施例では４つ）の連結孔２８Ａが前後方向に等間隔で形成されている。
【００２９】
下部構成体２４は、図３のように、上部構成体２２の下側に配置されるとともに上部構成体２２と共に前方側に開口した孔部３０を構成する部材である。下部構成体２４は、図６〜８のように、平面視において左右方向に長い略矩形状をなしており、底部３６と、一対のガイド壁３８，３８と、ラック部４０と、係止部４２と、被係合部４４と、を有する。
【００３０】
底部３６は、平面視において左右方向に長い略矩形状をなしており、上下方向に厚みを有する。
【００３１】
一対のガイド壁３８，３８の各々は、板状をなしており、底部３６の左右両端部からそれぞれ立ち上がり前後方向に沿って延びている。一対のガイド壁３８，３８の各々の外側面には、上部構成体２２に設けられた各連結孔２８Ａの位置に対応して連結孔２８Ａと同数（本実施例では４つ）の連結部３８Ａが形成されている。各連結部３８Ａは、左右方向外方に突出した形状をなしており、ガイド壁３８，３８が揺動することで各連結孔２８Ａに嵌まり込む。これにより、下部構成体２４が上部構成体２２に連結される。また、ガイド壁３８，３８の各々の内側面には、前後方向に沿って延びるガイド溝３８Ｂ，３８Ｂが形成されている。
【００３２】
ラック部４０は、後述のピニオン部８４と噛み合う部分であり、底部３６の上面から立ち上がり前後方向に沿って延びている。ラック部４０は、左右方向において一対のガイド壁３８，３８の間に配置される。ラック部４０は、一対のガイド壁３８，３８の一方側（本実施例では右側のガイド壁３８側）寄りに配置される。ラック部４０と一方のガイド壁３８（本実施例ではラック部４０と近い方のガイド壁３８）との間の第１空間Ｓ１には、ピニオン部８４が配置される。そして、ラック部４０の第１空間Ｓ１側の面がピニオン部８４と噛み合う。ラック部４０は、下部構成体２４の一部として、一対のガイド壁３８，３８と一体成形されている。
【００３３】
上述した底部３６には、底部３６の上面に入り込んだ異物を下方に逃がす逃がし孔３６Ｂが形成されている。逃がし孔３６Ｂは、底部３６のうち、第１空間Ｓ１の下面を構成する特定底部３６Ａに形成されており、特定底部３６Ａにおける左右方向のガイド壁３８側において前後方向に沿って少なくとも１つ（本実施例では４つ）設けられている。特定底部３６Ａの上面（第１空間Ｓ１の下面）は、左右方向において、ラック部４０側から逃がし孔３６Ｂ側に向かって下るように傾斜している。図６、図７では、ガイド壁３８の壁面から続く形で逃がし孔３６Ｂの内壁面が構成されている。
【００３４】
係止部４２は、後述する付勢部８０の被係止部８０Ａが係止される部分であり、底部３６の上面から立ち上がり前方に突出した形状をなしている。係止部４２は、下部構成体２４の左右方向において、第１空間Ｓ１とは反対側に配置される。
【００３５】
被係合部４４は、後述する操作パネル６０の係合部７０と係合する部分である。被係合部４４は、係合部７０とともに、押圧操作が行われるごとに係合状態とこの係合状態が解除された係合解除状態とに交互に切り替わるプッシュラッチ機構を構成する。被係合部４４は、底部３６の左右方向中央部の後端部から上方に立ち上がって構成されている。
【００３６】
操作パネル６０は、ガスコンロ１による調理の加熱温度、加熱時間等を設定するために用いられるものである。操作パネル６０は、フロント部材２０に組み付けられた組付状態において孔部３０内に配置され、フロント部材２０の前側に突出した前方位置と前方位置のときよりも後方側に退避した退避位置とに変位する。図９〜１１のように、操作パネル６０は、前後方向に長く上下方向に厚みを有するベース部６２と、一対の被ガイド部６８，６８と、係合部７０とを有している。
【００３７】
ベース部６２は、前側ベース部６４と後側ベース部６６とを有する。前側ベース部６４は、ベース部６２の前側部分を構成し、左右方向に長い略矩形状をなしている。後側ベース部６６は、ベース部６２の後側部分を構成し、前側ベース部６４の左右両側の後端部からそれぞれ後方に延びる右後側ベース部６６Ａと左後側ベース部６６Ｂとを有する。右後側ベース部６６Ａと左後側ベース部６６Ｂとの間には後方に開口した空間が形成されている。
【００３８】
係合部７０は、上述した被係合部４４と係合する部分である。係合部７０は、前側ベース部６４の後面から後方に突出した形状をなしており、右後側ベース部６６Ａと左後側ベース部６６Ｂとの間に形成された空間に配置される。
【００３９】
一対の被ガイド部６８，６８は、上述した一対のガイド壁３８，３８（フロント部材２０）によってガイドされる部分である。一対の被ガイド部６８，６８は、操作パネル６０の左右両側面の下端部から左右方向外方に突出して前後方向に延びる形状をなしている。
【００４０】
操作パネル６０の後側ベース部６６（左後側ベース部６６Ｂ）には、上方に開口した第２空間Ｓ２が形成されており、この第２空間Ｓ２には、付勢部８０が収容される。付勢部８０は、例えば定荷重ばねとして構成されている。即ち、付勢部８０は、シート状をなしており、操作パネル６０に回転可能に軸支されるドラム８１に基端側が巻き付けられてドラム８１に保持されている。付勢部８０の先端部が引っ張られると、ドラム８１が回転して付勢部８０の先端側が直線状に引き出され、付勢部８０に復元力が働く。付勢部８０の先端部寄りには、孔状の被係止部８０Ａが形成されており、この被係止部８０Ａが上述した係止部４２に引っ掛かることで係止部４２に係止される。
【００４１】
操作パネル６０の下面には、ダンパ装置８２が固定される。ダンパ装置８２は、ピニオン部８４と、減衰部８６とを有する。ピニオン部８４は、下部構成体２４（フロント部材２０）のラック部４０と噛み合うように配置される。減衰部８６は、例えばロータリーダンパとして構成されており、ピニオン部８４の回転エネルギーを減衰させる機能を有する。
【００４２】
図１２〜１４のように、操作パネル６０は、自身の被ガイド部６８，６８が、下部構成体２４（フロント部材２０）におけるガイド壁３８，３８のガイド溝３８Ｂ，３８Ｂに挿通されることで、下部構成体２４（フロント部材２０）に組み付けられる。その際、第２空間Ｓ２に収容された付勢部８０の被係止部８０Ａが下部構成体２４（フロント部材２０）の係止部４２に係止される。また、操作パネル６０に固定されたダンパ装置８２のピニオン部８４は、ラック部４０に噛み合う。
【００４３】
操作パネル６０が下部構成体２４（フロント部材２０）に組み付けられた状態（組付状態）では、ガイド壁３８，３８が、被ガイド部６８，６８に対向して配置される。更に、ラック部４０は、ピニオン部８４が配置される第１空間Ｓ１と、付勢部８０が収容される第２空間Ｓ２とを仕切る構成で配置される。即ち、ラック部４０は、ピニオン部８４に対して付勢部８０側に配置される。更に、操作パネル６０の左右方向の一方側（本実施例では左側）に付勢部８０が配置されるとともに、他方側（本実施例では右側）にピニオン部８４が配置される。より具体的には、操作パネル６０の左右方向の中央位置よりも一方側（左側）且つ操作パネル６０の前後方向中央位置よりも一方側（後方側）に付勢部８０が配置されている。付勢部８０は、操作パネル６０の前後方向中央位置よりも一方側（左側）且つ操作パネル６０の左右方向中央位置よりも一方側（後方側）の所定部位（具体的には、付勢部８０を保持する保持部付近）を継続的に前側に押すように力を加え続ける。一方で、操作パネル６０の左右方向の中央位置よりも他方側（右側）且つ操作パネル６０の前後方向中央位置付近にピニオン部８４が配置されている。更に、ピニオン部８４は、操作パネル６０が図１５で示す退避位置にあるとき及び退避位置から前方位置に変位するまでの間は、左右方向他方側（右側）のガイド壁３８の前端部３８Ｃよりも後方側及びこのガイド壁３８に形成されたガイド溝３８Ｂの前端部よりも後方側に位置するようになっている。更に、底部３６は、被ガイド部６８，６８の下方側において被ガイド部６８，６８と対向して配置される。
【００４４】
下部構成体２４（フロント部材２０）に組み付けられた操作パネル６０（組付状態にある操作パネル６０）は、下部構成体２４（フロント部材２０）のガイド壁３８，３８に沿って前後方向に移動する。即ち、ガイド壁３８，３８は、被ガイド部６８，６８の移動の際に被ガイド部６８，６８を案内する。
【００４５】
図１７（Ａ）（Ｂ）（Ｃ）には、操作パネル６０の変化を示しており、図１７（Ａ）は、操作パネル６０が退避位置に配置された状態（図１５と同様の状態）であり、図１７（Ｂ）は、退避位置での保持が解除された直後の状態（図１６と同様の状態）であり、図１７（Ｃ）は、操作パネル６０が前方位置に配置された状態（図１２と同様の状態）である。
【００４６】
操作パネル６０は、図１５、図１７（Ａ）のように、係合部７０が下部構成体２４（フロント部材２０）の被係合部４４に係合した状態では、退避位置に配置される。付勢部８０は、操作パネル６０が退避位置に配置されているときに、付勢部８０の少なくとも一部が直線状に延びた状態で配置される。このとき、付勢部８０の被係止部８０Ａ（図１１参照）はドラム８１（付勢部８０の基端部）よりも前方側において下部構成体２４の係止部４２に係止されるので、付勢部８０の被係止部８０Ａがドラム８１（付勢部８０の基端部）を前方側に引っ張るように作用する。即ち、付勢部８０は、少なくとも退避位置にある操作パネル６０に対して前方側への移動力を継続的に付与する。
【００４７】
操作パネル６０が退避位置に配置された状態において、操作パネル６０が後方に押圧されると、図１６、図１７（Ｂ）のように係合部７０と被係合部４４との係合状態が解除される。そして、付勢部８０が操作パネル６０に付与する移動力によって、操作パネル６０が前方側に移動する。このとき、操作パネル６０に加わる移動力は、ラック部４０及びピニオン部８４を介して減衰部８６に伝達され、減衰部８６によって減衰される。
【００４８】
本構成では、操作パネル６０が図１６、図１７（Ｂ）のような状態（退避位置での保持状態が開示された直後の状態）となり、付勢部８０の付勢によって操作パネル６０が前方側に移動しようとしたときに、操作パネル６０の左右方向一方側（左右方向において付勢部８０が配置される側）がより強く前側に引っ張られることになる。このような引っ張り動作が生じると、操作パネル６０では、左右方向一方側が他方側よりも早く前側に移動しようとする回転力（即ち、左右方向他方側が左右方向一方側よりも遅れるような回転力）が継続的に生じやすくなり、この回転力により、ピニオン部８４を左右方向一方側に向かわせようとする力が継続的に加わる。より具体的には、図１６のように、下部構成体２４に保持される操作パネル６０において前端部３８Ｃ付近を支点とするような回転力（図１６において反時計回りの向きの回転力）が生じ、左側が右側より前側に位置するような傾きを生じさせようとする力が継続的に加わる。このような傾きを生じさせようとする力が継続的に生じると、右後側ベース部６６Ａ及びその前側部分において前端部３８Ｃよりも後方側に位置する部位を左右方向一方側（付勢部８０側）に寄せようとする力が継続的に生じることになる。このような作用が生じるため、図１６のように付勢部８０の付勢によって操作パネル６０が前方側に移動しようとするときには、ピニオン部８４がラック部４０に継続的に押し付けられるように作用しながら移動しやすくなる。よって、ピニオン部８４とラック部４０との噛み合いが外れにくい状態で操作パネル６０を前方側に移動させることができる。
【００４９】
付勢部８０から付与された移動力によって前方側に移動した操作パネル６０は、図１６、図１７（Ｂ）のような状態を経て、図１７（Ｃ）のように前方位置に配置される。また、前方位置に配置された操作パネル６０が孔部３０内に押し込まれ、係合部７０が被係合部４４に係合すると、操作パネル６０が退避位置に配置される。
【００５０】
次に、本構成の効果を例示する。
本構成のガスコンロ１は、筐体２と、フロント部材２０と、操作パネル６０と、付勢部８０と、ダンパ装置８２とを有する。筐体２は、ガスバーナ４，５，６を収容する。フロント部材２０は、上部構成体２２と、上部構成体２２の下側に配置されるとともに上部構成体２２と共に前方側に開口した孔部３０を構成する下部構成体２４と、を備え、筐体２の前部に固定される。操作パネル６０は、フロント部材２０によってガイドされる一対の被ガイド部６８，６８を備えるとともに、孔部３０内に配置され、フロント部材２０の前側に突出した前方位置と前方位置のときよりも後方側に退避した退避位置とに変位する。付勢部８０は、少なくとも退避位置にある操作パネル６０に対して前方側への移動力を継続的に付与する。ダンパ装置８２は、ピニオン部８４と、ピニオン部８４の回転エネルギーを減衰させる減衰部８６と、を備え、操作パネル６０に固定される。フロント部材２０は、一対のガイド壁３８，３８と、ラック部４０とを備える。一対のガイド壁３８，３８は、一対の被ガイド部６８，６８に対向して配置されるとともに前後方向に沿って延び、被ガイド部６８，６８の移動の際に被ガイド部６８，６８を案内する。ラック部４０は、一対のガイド壁３８，３８と対向して配置され且つ前後方向に沿って延び、ピニオン部８４と噛み合う。このラック部４０は、一対のガイド壁３８，３８と一体成形される。
【００５１】
このガスコンロ１によれば、付勢部８０から付与される移動力によって操作パネル６０が前方側へ移動する際に、フロント部材２０のガイド壁３８，３８によって操作パネル６０を案内することができる。また、このガスコンロ１では、操作パネル６０に加わる前後方向への力が、ラック部４０及びピニオン部８４を介して減衰部８６に伝達されるので、操作パネル６０に加わる進行方向への力を減衰させることができる。更に、このガスコンロ１では、減衰機構の一部を構成するラック部４０がガイド壁３８，３８と一体成形されるので、ラック部をガイド壁と別体で構成する場合と比較して、部品点数の増加を抑えることができる。即ち、このガスコンロ１によれば、部品点数の増加を抑えつつ、操作パネル６０に加わる進行方向への力を減衰させることができる。
しかも、このガスコンロ１によれば、ラック部４０とガイド壁３８，３８とを一体成形することにより、ラック部４０とガイド壁３８，３８とを所望の位置関係に、より高精度で配置することができる。これにより、ガイド壁３８，３８による操作パネル６０の案内と、操作パネル６０に加わる進行方向への力の減衰とをより円滑に行うことができる。
【００５２】
更に、ピニオン部８４は、ガイド壁３８，３８とラック部４０との間の第１空間Ｓ１に配置されている。ラック部４０は、付勢部８０が収容された第２空間Ｓ２と第１空間Ｓ１とを仕切る構成で配置されている。この構成によれば、ラック部４０がピニオン部８４と付勢部８０との間に介在するので、仮に作動する付勢部８０によって異物等が弾かれたとしても、その異物等がピニオン部８４に噛み込むことを抑制し得る。
【００５３】
更に、操作パネル６０の左右方向の一方側（本実施例では左側）に付勢部８０が配置されるとともに、他方側（本実施例では右側）にピニオン部８４が配置されている。そして、ラック部４０は、ピニオン部８４に対して付勢部８０側に配置されている。このように、左右方向一方側に付勢部８０が配置されていると、図１６のように付勢部８０の付勢によって操作パネル６０が前方側に移動しようとしたときに、操作パネル６０の左右方向一方側がより強く引っ張られることになる。そして、このような引っ張りが生じると、操作パネル６０では、左右方向一方側が他方側よりも早く前側に移動するような回転力（即ち、左右方向他方側が左右方向一方側よりも遅れるような回転力）が生じやすくなり、この回転力に応じてピニオン部８４は左右方向一方側（付勢部８０側）に向かおうとする。つまり、付勢部８０の付勢によって操作パネル６０が前方側に移動するときには、ピニオン部８４がラック部４０に押し付けられるように作用しながら移動しやすくなるため、ラック部４０との噛み合いが外れにくい状態で操作パネル６０を前方側に移動させることができる。
【００５４】
更に、ガスコンロ１は、点火操作を行うための点火ボタン１１，１４と、火力の調整操作を行うためのレバー１６Ａ，１６Ｄとを備えている。上部構成体２２は、貫通した開口形状をなし、自身の内部に点火ボタン１１，１４が嵌り込むように配置される第１開口部３２，３３と、レバー１６Ａ，１６Ｄが挿し通されるとともに、自身の内部領域がレバー１６Ａ，１６Ｄの移動経路として構成される第２開口部３４，３５と、を有する。これらの第１開口部３２，３３と第２開口部３４，３５とは一体成形される。この構成によれば、レバー１６Ａ，１６Ｄが挿し通される第２開口部３４，３５が点火ボタン１１，１４の配置される第１開口部３２，３３と一体成形されるので、第２開口部３４，３５を第１開口部３２，３３と別体で構成する場合と比較して、部品点数の増加を抑えることができる。
【００５５】
更に、下部構成体２４は、被ガイド部６８，６８の下方側において被ガイド部６８，６８と対向して配置される底部３６を有する。一対のガイド壁３８，３８及びラック部４０は、底部３６から立ち上がる構成となっている。そして、底部３６には、この底部３６の上面に入り込んだ異物を下方に逃がす逃がし孔３６Ｂが形成されている。この構成によれば、底部３６の上面に入り込んだ異物を逃がし孔３６Ｂから逃がすことができるので、底部３６の上面に異物が滞留することによる下部構成体２４の機能（例えば、操作パネル６０を案内する機能、操作パネル６０に加わる進行方向への力を減衰する機能など）の低下を抑制することができる。
【００５６】
＜他の実施例＞
本発明は上記記述及び図面によって説明した実施例に限定されるものではなく、例えば次のような例も本発明の技術的範囲に含まれる。
【００５７】
上述した実施例１では、ガイド壁３８を下部構成体２４に設ける構成としたが、フロント部材２０であれば下部構成体２４以外（例えば上部構成体２２）に設けるようにしてもよい。
【００５８】
上述した実施例１では、操作パネル６０の左右方向の左側に付勢部８０が配置されるとともに、右側にピニオン部８４が配置されるようにした。しかし、操作パネル６０の左右方向の右側に付勢部８０が配置されるとともに、左側にピニオン部８４が配置されるようにしてもよい。また、付勢部８０及びピニオン部８４が、操作パネル６０の左右方向の一方側に偏って配置されるようにしてもよいし、付勢部８０及びピニオン部８４のうち少なくともいずれか一方が操作パネル６０の左右方向中央部に配置されるようにしてもよい。
【符号の説明】
【００５９】
１…ガスコンロ（コンロ）
２…筐体
４，５，６…ガスバーナ
１１，１４…点火ボタン（点火操作部）
１６Ａ，１６Ｄ…レバー（火力調整操作部）
２０…フロント部材
２２…上部構成体
２４…下部構成体
３６…底部
３６Ｂ…逃がし孔
３８…ガイド壁
４０…ラック部
６０…操作パネル
８０…付勢部
８２…ダンパ装置
８４…ピニオン部
８６…減衰部
Ｓ１…第１空間
Ｓ２…第２空間
【図１】
2020085411.tif 000003
【図２】
2020085411.tif 000004
【図３】
2020085411.tif 000005
【図４】
2020085411.tif 000006
【図５】
2020085411.tif 000007
【図６】
2020085411.tif 000008
【図７】
2020085411.tif 000009
【図８】
2020085411.tif 000010
【図９】
2020085411.tif 000011
【図１０】
2020085411.tif 000012
【図１１】
2020085411.tif 000013
【図１２】
2020085411.tif 000014
【図１３】
2020085411.tif 000015
【図１４】
2020085411.tif 000016
【図１５】
2020085411.tif 000017
【図１６】
2020085411.tif 000018
【図１７】
2020085411.tif 000019